(57)【特許請求の範囲】
【請求項１】
充電装置で発生させた磁界が電磁誘導作用によって生じさせる起電力を用いて電源である二次電池を充電する電子カメラであって、
前記電子カメラの外装筐体と、
前記外装筐体の内部に設けられており前記電子カメラの電子回路部品が固定され、電子カメラの背面に沿って配置される基板と、
前記外装筐体の内部に設けられており、電子カメラの正面右寄りに配置された鏡枠から離すように、電子カメラの正面に沿って左寄りの部分に配置され、前記充電装置で発生させた磁界によって起電力を生じる受電コイルと、
前記外装筐体の内部に設けられており、前記二次電池を収納して前記電子カメラを前記充電装置に装填すると、前記受電コイルに接近する当該充電装置の一次コイルと前記基板との間に当該二次電池が位置するようになる電池収納室と、備え
前記受電コイルが前記基板から見て前記電池収納室に装填される二次電池によって覆われるようになる
ことを特徴とする電子カメラ。
【請求項２】
充電装置で発生させた磁界が電磁誘導作用によって生じさせる起電力を用いて電源である二次電池を充電する電子カメラであって、
背面部分がフラットな面である前記電子カメラの外装筐体と、
前記外装筐体の内部に設けられており前記電子カメラの電子回路部品が固定され、電子カメラの正面に沿って配置される基板と、
前記外装筐体の内部に設けられており、電子カメラの背面に沿って、画像ディスプレイと反対側の部分でかつ鏡枠から離すように配置され、前記充電装置で発生させた磁界によって起電力を生じる受電コイルと、
前記外装筐体の内部に設けられており、前記二次電池を収納して前記電子カメラを前記充電装置に装填すると、前記受電コイルに接近する当該充電装置の一次コイルと前記基板との間に当該二次電池が位置するようになる電池収納室と、備え
前記受電コイルが前記基板から見て前記電池収納室に装填される二次電池によって覆われるようになる
ことを特徴とする電子カメラ。
【発明の詳細な説明】
【０００１】
【発明の属する技術分野】
本発明は、電子カメラで用いられる技術に関し、特に、二次電池を電源として使用する電子カメラに備えられている二次電池を充電する技術に関する。
【０００２】
【従来の技術】
電源である電池に充電可能な二次電池を使用する電子カメラでこの電池を充電する技術に関する発明が特開２００１−６９３８８号公報に開示されている。同公報では、電磁誘導作用を利用して充電器から電子カメラに電力を供給し、供給された電力でその電子カメラに備えられている電池を充電するという、いわゆる非接触式の充電方式を採用した電子カメラが開示されている。
【０００３】
このような非接触式の充電方式では、充電用の金属端子を電子カメラの筐体表面に設けることなく電池の充電が行なえるので、筐体表面に露出してしまうこの金属端子を外部の環境から保護しつつその導電性を維持するための手段を講じる必要がなく、また、金属端子を省いた分だけ電子カメラを小型化することが可能になるという利点を有している。
【０００４】
【発明が解決しようとする課題】
非接触式の充電方式を電子カメラに採用するときには、充電装置で発生させる変動する磁界によって起電力を生じさせるための受電コイルが電子カメラに設けられる。そして、充電が行なわれるときにはその受電コイルの設けられた電子カメラの部分は強さが激しく変動する磁界の中に置かれる。このとき、その磁界は電子カメラ内部に設けられている他の電子回路に対しても電磁誘導作用による起電力を生じさせることとなる。この起電力はノイズとして観測されるため、この電子回路の動作に悪影響を及ぼすこととなってしまう。
【０００５】
この問題に関し、電子カメラ内部において、受電コイルと電子回路が構成される基板との間に磁気シールド（遮蔽）として機能する金属板を設け、充電装置で発生させる磁界から電子回路を保護するという対策法がある。しかし、この金属板を設けることは電子カメラの体積・重量の増加を招き、筐体表面から金属端子を省いたことによる電子カメラの体積・重量についての利点を減殺することとなってしまう。
【０００６】
以上の問題に鑑み、非接触式の充電システムを採用する電子カメラにおいて、体積・重量の増加を抑えつつ、充電装置で発生させる磁界が電子カメラ内部の電子回路に及ぼす影響を軽減させることが本発明が解決しようとする課題である。
【０００７】
【課題を解決するための手段及び作用】
本発明の態様の１つである電子カメラは、充電装置で発生させた磁界が電磁誘導作用によって生じさせる起電力を用いて電源である二次電池を充電する電子カメラであって、前記電子カメラの外装筐体と、前記外装筐体の内部に設けられており前記電子カメラの電子回路部品が固定され、電子カメラの背面に沿って配置される基板と、前記外装筐体の内部に設けられており、電子カメラの正面右寄りに配置された鏡枠から離すように、電子カメラの正面に沿って左寄りの部分に配置され、前記充電装置で発生させた磁界によって起電力を生じる受電コイルと、前記外装筐体の内部に設けられており、前記二次電池を収納して前記電子カメラを前記充電装置に装填すると、前記受電コイルに接近する当該充電装置の一次コイルと前記基板との間に当該二次電池が位置するようになる電池収納室と、備え  前記受電コイルが前記基板から見て前記電池収納室に装填される二次電池によって覆われるようになる  ことを特徴とするものである。
【０００８】
本発明の態様の１つである電子カメラは、充電装置で発生させた磁界が電磁誘導作用によって生じさせる起電力を用いて電源である二次電池を充電する電子カメラであって、背面部分がフラットな面である前記電子カメラの外装筐体と、前記外装筐体の内部に設けられており前記電子カメラの電子回路部品が固定され、電子カメラの正面に沿って配置される基板と、前記外装筐体の内部に設けられており、電子カメラの背面に沿って、画像ディスプレイと反対側の部分でかつ鏡枠から離すように配置され、前記充電装置で発生させた磁界によって起電力を生じる受電コイルと、前記外装筐体の内部に設けられており、前記二次電池を収納して前記電子カメラを前記充電装置に装填すると、前記受電コイルに接近する当該充電装置の一次コイルと前記基板との間に当該二次電池が位置するようになる電池収納室と、備え前記受電コイルが前記基板から見て前記電池収納室に装填される二次電池によって覆われるようになる  ことを特徴とするものである。
【００１８】
【発明の実施の形態】
以下、本発明の実施の形態を図面に基づいて説明する。
図１は、本発明を実施する電子カメラシステムの電気的構成を示す図である。同図に示すカメラシステムは、電子カメラ１００と、充電装置を兼ねる電子カメラ１００専用のスタンド２００とより構成されている。なお、スタンド２００はクレードル（Cradle）などと呼ばれることもある。
【００１９】
まず図１における電子カメラ１００の電気的構成について説明する。
電子カメラ１００の内部では、ＣＰＵ１、撮像処理部４、ＤＲＡＭ５、画像処理部６、フラッシュメモリ７、メモリカード８、ＵＳＢ  Ｉ／Ｆ９、ＳＩＦドライバ１１、ＬＣＤドライバ１３がいずれもバス１２に接続されており、これらの間ではＣＰＵ１によるバス１２の管理の下で相互にデータの授受を行なうことができる。
【００２０】
ＣＰＵ（Central Processing Unit ）１はこの電子カメラ１００全体の動作制御を行なう中央演算装置である。
撮影レンズ２は被写体像を撮像素子３の受光面に結像させる。
撮像素子３は受光面に結像している被写体像を光電変換してその被写体像が表されている画像を示すアナログ信号を出力する。
【００２１】
撮像処理部４は、ＣＤＳ（Correlated Double Sampling：相関二重サンプリング回路）、ＡＧＣ（Automatic Gain Control：自動利得制御回路）、及びアナログ／デジタル変換回路などを含んで構成され、ＣＰＵ１の制御の下に、撮像素子３から出力されたアナログ信号に含まれるリセット雑音の除去や信号レベルの調節等を行ない、これらの処理が行なわれた後のアナログ信号をデジタルデータに変換する。
【００２２】
この撮像処理部４から出力される、被写体像が表されている画像を表現しているデジタルデータを、以降「撮影画像」と称することとする。
ＤＲＡＭ（Dynamic Random Access Memory）５は、撮像処理部４から出力された撮影画像や画像処理部６による画像処理が施された後の撮影画像などを一時的に蓄えるバッファメモリとして使用される他、ＣＰＵ１による各種処理のための作業用の記憶領域としても使用されるメモリである。
【００２３】
画像処理部６は、ＣＰＵ１による指示に基づき、撮像処理部４から出力される撮影画像に施されるγ補正やホワイトバランス等の画像補正処理や、画像を表現している画像データの記録・再生のための画像圧縮伸張処理などの各種処理を施す。なお、画像データの圧縮・伸張処理では、例えばＪＰＥＧ（Joint  Photographic  Experts  Group）方式に沿った伸張処理及び圧縮処理等が行われる。
【００２４】
フラッシュメモリ７には、ＣＰＵ１にこの電子カメラ１００全体の動作制御を行なわせるための制御プログラムが予め格納されている。ＣＰＵ１は、フラッシュメモリ７に格納された制御プログラムを読み出して実行することによって、この電子カメラ全体の動作制御を行なう。
【００２５】
メモリカード８は画像データを格納するメモリであり、この電子カメラ１００から着脱可能である。
ＵＳＢ（Universal Serial Bus）  Ｉ／Ｆ９ａは、ＵＳＢ端子１０ａに接続されたパーソナルコンピュータ等の外部装置とＣＰＵ１との間での各種データの授受を行なうためのインタフェース機能を提供する。
【００２６】
ＳＩＦ（Serial Interface）ドライバ１１は、この電子カメラ１００からスタンド２００へ画像データ等を伝送するためのインタフェース機能を提供するものであり、バス１２を介して送られてくるパラレルデータである画像データをシリアルデータに変換する。
【００２７】
受発光部１２ａはＬＥＤ（Light Emitting Diode）とフォトトランジスタとを備えて構成され、電子カメラ１００がスタンド２００に載置されているときにスタンド２００との間で光を伝送媒体として各種のデータの授受を行なうものである。ＣＰＵ１、ＵＳＢ  Ｉ／Ｆ９ａ、及びＳＩＦドライバ１１は受発光部１２ａを介してシリアルデータをスタンド２００へ伝送することが可能であり、また、ＣＰＵ１及びＵＳＢ  Ｉ／Ｆ９ａはスタンド２００から送られてくるシリアルデータを受信することも可能である。
【００２８】
ＬＣＤ（Liquid Crystal Display）ドライバ１３はＬＣＤディスプレイ１４を駆動してバス１２を介して送られてきた画像データで表現されている画像をＬＣＤディスプレイ１４に表示させる。
ＬＣＤディスプレイ１４は、画像を表示する液晶モニタである。
【００２９】
セルフＬＥＤ１５は、いわゆるセルフタイマ撮影をこの電子カメラ１００で行なうときに、点灯・消灯を様々な間隔で行なうことによって被写体となる人物に撮影のタイミングを視覚的に通知する。
操作指示部１６はユーザによって操作される各種キー、スイッチ、ボタン等を備えて構成される。ＣＰＵ１は操作指示部１６に対してなされた操作の内容を取得し、その内容に対応するユーザからの指示を受け取る。
【００３０】
リモコン受光部１７は、不図示のリモコンから送られてくる光信号を受光してその光信号に対応するデータをＣＰＵ１に送付する。ＣＰＵ１はリモコン受光部１７から送付されたデータの内容に基づいて所定の処理を行なう。例えば、不図示のリモコンから撮影動作を行なう指示を示す光信号をリモコン受光部１７が受光したときにはＣＰＵ１は撮影動作のための制御処理を行なう。
【００３１】
電源部１８は電子カメラ１００の各部に所定の電圧に安定化された電力を供給する。
充電池１９はこの電子カメラ１００の電源となる電池であり、例えばニッカド電池、ニッケル水素電池、リチウムイオン電池などといった充電可能である二次電池が用いられる。
【００３２】
ＤＣ入力端子２０は、充電池１９の代わりに外部電源を用いて電子カメラ１００を動作させるときに、外部電源から出力される直流の電力が入力される端子である。
充電部２１は２次コイル２２に所定の電圧値以上の起電力が励起しているときに充電池１９の充電を行なう。また、２次コイル２２に生じた起電力は充電部２１から電源部１８にも導かれており、電子カメラ１００がスタンド２００に載置されているときには、ＤＣ入力端子２０を開放した状態のまま、スタンド２００を充電池１９に代わる電源として電子カメラ１００を動作させることができる。
【００３３】
２次コイル２２は、電子カメラ１００がスタンド２００に載置されているときにスタンド２００で発生させた磁界によって起電力が生じるコイルであり、電磁誘導作用を利用する非接触式の充電方式における受電コイルとして機能する。
電子カメラ１００は以上のように構成されている。
【００３４】
次に図１におけるスタンド２００の電気的構成について説明する。
受発光部１２ｂは電子カメラ１００の受発光部１２ａと同様のものであり、電子カメラ１００との間で光を伝送媒体として各種のデータの授受を行なうものである。ＵＳＢ  Ｉ／Ｆ９ｂはこの受発光部１２ｂを介してシリアルデータを電子カメラ１００へ伝送することが可能であり、またＵＳＢ  Ｉ／Ｆ９ｂ及びビデオＩ／Ｆ２３は電子カメラ１００から送られてくるシリアルデータを受信することが可能である。
【００３５】
なお、ＵＳＢ  Ｉ／Ｆ９ｂは電子カメラ１００のＵＳＢ  Ｉ／Ｆ９ａと同様のものであり、電子カメラ１００がこのスタンド２００に載置されているときには、ＵＳＢ端子１０ａの代わりにＵＳＢ端子１０ｂにパーソナルコンピュータ等の外部装置を接続してもこの外部装置と電子カメラ１００のＣＰＵ１との間で各種データの授受を行なうことができる。
【００３６】
また、ビデオＩ／Ｆ２３は、電子カメラ１００がこのスタンド２００に載置されているときに電子カメラ１００から受発光部１２ｂを介して送られてくる画像データをビデオ信号に変換するものである。ビデオＩ／Ｆ２３から出力されるビデオ信号はビデオ出力端子２４に導かれており、家庭用のテレビジョン装置をビデオ出力端子２４に接続すると、その画像データで表現されている画像がそのテレビジョン装置に表示される。
【００３７】
ＡＣ／ＤＣ変換部２５は、商用電源からＡＣ電源コード２６を介して供給される交流の電圧を所定の電圧に降圧させると共に直流に整流し、所定の電圧に安定化してスタンド２００の各部に電力を供給する。ＡＣ／ＤＣ変換部２５には数メートルの長さのＤＣ電源コード２７の一端が接続されており、そのもう一方の端を電子カメラ１００のＤＣ入力端子に接続すれば、電子カメラ１００がスタンド２００に載置されていない状態であってもこのスタンド２００を電子カメラ１００の外部電源として使用することができるように構成されている。
【００３８】
発振部２８は所定の周波数の高周波を発生させる。
１次コイル２９は、発振部２８で発生させた高周波が入力されることによって磁束数が時間経過に応じて変化する磁界を生じさせるコイルであり、電磁誘導作用を利用する非接触式の充電方式における送電コイルとして機能する。電子カメラ１００の２次コイル２２では、この１次コイル２９が生じさせた磁界中に置かれることによって起電力が生じる。
【００３９】
スタンド２００は以上のように構成されている。
次に図２について説明する。同図は図１に示した電子カメラ１００の外観図であり、（ａ）は電子カメラ１００を上面から見た図、（ｂ）は電子カメラ１００を正面から見た図、（ｃ）は電子カメラ１００を底面から見た図である。
【００４０】
なお、図２において図１に示したものと同一の構成要素には同一の符号を付している。
図２に示すように、電子カメラ１００には、操作指示部１６のひとつである撮影動作を指示するためのレリーズボタン３１が電子カメラ１００の正面からみて左寄りの上面に設けられている。
【００４１】
電子カメラ１００の正面に設けられている透明部３２は、電子カメラ１００の筐体内部に配置されるセルフＬＥＤ１５から発せられる光を電子カメラ１００の外部から視認することができるようにするためのものである。この透明部３２の材質は例えばアクリル樹脂を用いる。
【００４２】
また、電子カメラ１００の正面には、図１には不図示である夜間撮影時における照明であるストロボ３３が設けられており、更に撮影レンズ２を保持する鏡枠３４が電子カメラ１００の正面右寄りに設けられている。
電子カメラ１００の底面には、電子カメラ１００に対して着脱可能である充電池１９を電子カメラ１００内部に収納するための開口部を封止するための電池蓋３５が電子カメラ１００の正面からみて左寄りに設けられている。この電池蓋３５はヒンジ３６を支点として開閉可能である。
【００４３】
その他、電子カメラ１００の底面には、三脚に電子カメラ１００を固定するための三脚ネジ穴３７が設けられている。
次に図３について説明する。同図は図１に示した電子カメラ１００の主要な内部構造の第一の例を示す図である。図３において、（ａ）は電子カメラ１００をその上面から見たときの内部の構造を透視した図であり、（ｂ）は電子カメラ１００をその正面から見たときの内部の構造を透視した図である。
【００４４】
なお、図３において、図１若しくは図２に示したものと同様の機能を有する構成要素には同一の符号を付している。
前述したように、充電池１９は電子カメラ１００に対して着脱可能であり、収納室３８に収納される。収納室３８は電子カメラ１００の正面側から見て左寄りの内部に設けられ、電子カメラ１００の底面に開口部分を有している。充電池１９はこの開口部分から収納室３１の内部に収納される。また、図３では図示していないが、前述したように電子カメラ１００には開閉させることのできる電池蓋３５が設けられており、電池蓋３５を閉じることによって収納室３１の開口部分が封止される。
【００４５】
このように、収納室３８を電子カメラ１００の正面から見て左寄りの内部に収納するように設けたことにより、比較的重量の大きな充電池１９が、レリーズボタン３１の位置と同様に、電子カメラの正面から見て左寄りに配置されるので、電子カメラを片手で保持して撮影するときの安定性を高めることができる。
【００４６】
また、厚さの薄い２次コイル２２が固定されている基板３９が、収納室３８と電子カメラ１００の正面側の筐体との間に挟み込まれるように配置されている。つまり、２次コイル２２が電子カメラ１００の正面側の筐体の内面に沿って設けられることとなる。スタンド２００に設置される１次コイル２９が生じさせる磁界内に２次コイル２２が置かれると２次コイル２２には起電力が生じる。
【００４７】
なお、電子カメラ１００がスタンド２００に載置されたときの１次コイル２９と２次コイル２２との間隔は狭い方が効率良くスタンド２００から電子カメラ１００への電力供給が行なえるので、電力供給の効率の観点からは電子カメラ１００の正面の筐体の厚さは薄い方が望ましい。また、電子カメラ１００の正面の筐体の材質としては透磁率の低いものを使用する方が磁気の遮蔽効果が少ないので望ましい。
【００４８】
また、２次コイル２２の形状（巻き方）は、図３では楕円状に巻かれていることが示されているが、充電池１９を充電するために十分な起電力をスタンド２００で発生させる磁界に基づいて生じさせることができるのであれば、円状、あるいは四角状等などの他の形状としてもよい。
【００４９】
電子カメラ１００の正面に設けられている透明部３５に対応する基板３９上の位置にはセルフＬＥＤ１５が固定されており、セルフＬＥＤ１５から発せられる光が電子カメラ１００の正面に設けられている透明部３５を通して電子カメラ１００の筐体外部から視認することができる。
【００５０】
セルフＬＥＤ１５をこの部分に設けたので、２次コイル２２の中心部の中空部分の有効利用がなされ、電子カメラ１００の正面側での他の構成要素の配置の制約が軽減される。
基板３９に固定されている２次コイル２２とセルフＬＥＤ１５とを除く主要な電子部品は主基板４０上に配置されて配線され、電子回路がそこに構成されている。主基板４０は電子カメラ１００の内部の背面側に沿うようにして配置される。従って主基板４０と基板３９とで充電池１９の収納室３８を挟む位置関係となる。このような、主基板４０から見て２次コイル２２が収納室３８に収納された充電池１９によって覆われ、充電池１９によって主基板４０から見て２次コイル２２が遮られる位置関係を採用することにより、充電池１９の充電動作時にはスタンド２００で生じさせる強い磁界中に置かれることとなる電子カメラ１００の正面から見て左側部分に位置する主基板４０の部分に対し、収納室３８に収納される充電池１９自身の筐体等の金属部分が磁気のシールドの効果を発揮するので、その磁界が主基板４０上に構成されている電子回路に及ぼすノイズ等の悪影響が軽減される。また、充電池１９の厚みによって主基板４０と基板３９との位置が離されるため、充電時には２次コイル２２の近傍に位置することとなるスタンド２００の１次コイル２９と主基板４０との距離も遠くなるから、１次コイル２９で生じさせる磁界が主基板４０の位置では弱まるので、このことによってもその磁界が主基板４０上に構成されている電子回路に及ぼすノイズ等の悪影響が軽減される。
【００５１】
なお、基板３９に固定されている２次コイル２２及びセルフＬＥＤ１５は、フレキシブル基板４１を介して主基板４０に配置されている充電部２１やＣＰＵ１等の電子回路と電気的に接続されている。
その他、図３には、ＬＣＤディスプレイ１４が電子カメラ１００の背面に設けられていることが示されている。なお、この電子カメラ１００はいわゆる沈胴式を採用しており、図３（ａ）に示すように、撮影を行なわないときには鏡枠３４が電子カメラ１００の筐体内部に収納される。
【００５２】
次に図４について説明する。同図は、図３に示した電子カメラ１００について用いられるスタンド２００の構造の例を示している。図４において、（ａ）は電子カメラ１００がスタンド２００に載置された状態を正面から見た図であり、（ｂ）は同様の状態をその左側面から見た図である。
【００５３】
なお、図４において、図１、図２若しくは図３に示したものと同一の構成要素には同一の符号を付している。
図４（ａ）に示すように、電子カメラ１００は、その正面とスタンド２００の正面とが接する向き、すなわち、電子カメラ１００がスタンド２００に載置された状態でも電子カメラ１００の背面に設けられているＬＣＤディスプレイ１４を見ることができる向きであって、電子カメラ１００が縦向き、すなわち、図２若しくは図３の状態に対して９０度回転され、電子カメラ１００の正面から見て左側の側面が下向きとなるように載置される。
【００５４】
図４（ｂ）に示すように、電子カメラ１００をスタンド２００に載置すると、電子カメラ１００の背面に設けられているＬＣＤディスプレイ１４は斜め上方を仰ぐような状態となる。これは、スタンド２００に載置された状態で電子カメラ１００に画像の再生動作を行なわせたときにＬＣＤディスプレイ１４に表示される画像の視認性を向上させるためである。
【００５５】
また、図４（ｂ）に示すように、１次コイル２９はスタンド２００の筐体内部に配置されるが、前述したような電力供給の効率の観点から、電子カメラ１００が載置されたときにその正面側に設けられている２次コイル２２と平行且つ対向する位置に配置されることが望ましく、更に、電子カメラ１００が載置されたときの１次コイル２９と２次コイル２２との間の距離はなるべく短くなることが望ましい。
【００５６】
その他、図４には、ＵＳＢ端子１０ｂ及びビデオ出力端子２４がスタンド２００の左側面に設けられていること、及びＡＣ電源コード２６がスタンド２００の右側面からスタンド２００内部に引き込まれていることが示されている。
電子カメラ１００及びスタンド２００が以上のような構成及び構造を有することにより、電子カメラ１００に充電用の金属端子を筐体表面に設けなくても、電子カメラ１００をスタンド２００に載置すれば充電池１９の充電を行なうことができる。
【００５７】
以下、電子カメラ１００及びスタンド２００の他の構成例について説明する。なお、以降の説明において今までに説明した各図に示したものと同様の機能を有する同一の構成要素には同一の符号を付すこととし、以降の説明においては一部の構成要素について詳細な説明を省略する。
【００５８】
まず図５について説明する。同図は本発明を実施する電子カメラ１００の主要な内部構造の第二の例を示す図である。図５において、（ａ）は電子カメラ１００をその上面から見たときの内部の構造を透視した図、（ｂ）は電子カメラ１００をその正面から見たときの内部の構造を透視した図、（ｃ）は電子カメラ１００をその左側面から見たときの内部の構造を透視した図である。
【００５９】
図５に示す電子カメラ１００の構造の第二の例と図３に示した電子カメラ１００の構造の第一の例との大きな違いは、２次コイル２２が固定されている基板３９が、収納室３８と電子カメラ１００の正面側の筐体との間ではなく、収納室３８と電子カメラ１００の左側面側の筐体との間に挟み込まれるように配置されている点にある。
【００６０】
このような構造を採用することにより、充電池１９の充電動作時にはスタンド２００で生じさせる強い磁界中に置かれることとなるのは電子カメラ１００の正面から見て左端の部分に大きく偏るようになり、更に、第一の例と同様に、収納室３８に収納される充電池１９自身の筐体等の金属部分が磁気のシールドの効果を発揮するので、充電池１９の充電動作時にスタンド２００で生じさせる磁界についての電子回路が構成されている主基板４０上における平均の強さが第一の例のときよりも更に小さくなる。その結果、その磁界が主基板４０上に構成されている電子回路に及ぼすノイズ等の悪影響が大幅に軽減される。
【００６１】
なお、図５に示す第二の例と図３に示した第一の例とでは、充電池１９を収納する収納室３８についての電子カメラ１００の上面から見たときの向きが９０度回転しているが、どちらの向きにしてもある程度の磁気のシールドの効果を得ることができる。
【００６２】
次に図６について説明する。同図は、図５に示した電子カメラ１００について用いられるスタンド２００の構造の例を示している。図６において、（ａ）は電子カメラ１００がスタンド２００に載置された状態を正面から見た図であり、（ｂ）は同様の状態をその左側面から見た図である。
【００６３】
図６に示すスタンド２００の構造と図４に示したスタンド２００の構造との違いは１次コイル２９の配置のみであり、他の構造は同一である。
図６に示すスタンド２００でも、１次コイル２９の位置は、前述したような電力供給の効率の観点から、１次コイル２９はスタンド２００の筐体内部における位置は、電子カメラ１００が載置されたときにその底面側に設けられている２次コイル２２と平行且つ対向する位置に配置されることが望ましく、更に、電子カメラ１００が載置されたときの１次コイル２９と２次コイル２２との間の距離はなるべく短くなることが望ましい。図６に示す例でも１次コイル２９はまさにこれらの要求に沿うような位置に配置されている。
【００６４】
電子カメラ１００及びスタンド２００がそれぞれ図５及び図６に示す構成及び構造を有することによっても、電子カメラ１００に充電用の金属端子を筐体表面に設けることなく充電池１９の充電を行なうことができる。
次に図７について説明する。同図は本発明を実施する電子カメラ１００の主要な内部構造の第三の例を示す図である。図において、（ａ）は電子カメラ１００をその背面から見たときの内部の構造を透視した図、（ｂ）は電子カメラ１００をその上面から見たときの内部の構造を透視した図である。なお、図７（ａ）においては電子カメラ１００は天地が逆に描かれており、上面が下向きとなっている。
【００６５】
図７に示す電子カメラ１００の構造の第三の例と図３に示した電子カメラ１００の構造の第一の例との大きな違いは、２次コイル２２が固定されている基板３９が、収納室３８と電子カメラ１００の正面側の筐体との間ではなく、収納室３８と電子カメラ１００の背面側の筐体との間に挟み込まれるように配置されている点にある。なお、この第三の例においては、収納室３８の電子カメラ１００内での位置が第一の例に比べて背面に寄った位置に配置されるため、第一の例で用いられていた主基板４０をそのまま電子カメラ１００内に配置することが困難である。そのため、図７に示す第三の例では、電子部品を固定・配線して電子回路を構成するための主基板４０を基板Ａ４２及び基板Ｂ４３に分割し、これらを不図示のフレキシブル基板等を介して電気的に接続することで第一の例と同様の電子回路を構成するようにしている。
【００６６】
このような図７に示す位置関係を採用することによっても、第一の例と同様に、充電池１９の充電動作時にはスタンド２００で生じさせる強い磁界中に置かれることとなる電子カメラ１００の正面から見て左側部分に位置する基板Ｂ４３の部分に対し、収納室３８に収納される充電池１９自身の筐体等の金属部分が磁気のシールドの効果を発揮するので、その磁界が基板Ｂ４３上に構成されている電子回路に及ぼすノイズ等の悪影響が軽減される。
【００６７】
また、この第三の例においては、２次コイル２２を電子カメラ１００の背面側に配置したので、内径の大きな受電コイルを電子カメラで使用することができるようになる。これは、電子カメラ１００の背面の部分では広くフラットな面を確保することが容易であるからであり、このような部分に２次コイル２２を配置したので、同一の巻回数ではより高い電圧の起電力を生じさせることのできる、内径の大きな２次コイル２２を電子カメラ１００で使用することができる。
【００６８】
なお、図７に示す第三の例の内部構造を有する電子カメラ１００に収納された充電池１９を充電することのできるスタンド２００は、例えば前述した図４に示した構造を有するものでよく、ただ電子カメラ１００をその背面とスタンド２００の正面とが接する向きであって縦向きに載置するようにすればよい。この載置状態では電子カメラ１００のＬＣＤディスプレイ１４に表示される画像を見ることは困難であるが、充電池１９の充電を行なうことは可能である。
【００６９】
その他、本発明は、上述した実施形態に限定されることなく、種々の改良・変更が可能である。例えば、フェライトなどの透磁率の高い材料を１次コイル２９や２次コイル２２の中心部に配置するようにして、電磁誘導作用によってスタンド２００から電子カメラ１００へと供給される電力の損失の低減を目指すようにしてもよい。
【００７０】
【発明の効果】
以上詳細に説明したように、本発明に係る電子カメラでは、その構造を、二次電池が外装筐体の内部に収納されたときに受電コイルが二次電池と外装筐体との間となる位置に配置されるようにすることによって、二次電池が磁気のシールドの機能を果たし、二次電池を挟んで受電コイルの反対側の空間はその磁界が弱められるので、磁気シールド用の金属板等を設けてその分だけ電子カメラの体積・重量を増加させることなく、充電装置で発生させる磁界が電子カメラ内部の電子回路に及ぼす影響を軽減させることができるという効果を奏する。
【図面の簡単な説明】
【図１】本発明を実施する電子カメラシステムの電気的構成を示す図である。
【図２】図１に示した電子カメラの外観図である。
【図３】図１に示した電子カメラの主要な内部構造の第一の例を示す図である。
【図４】図３に示した電子カメラについて用いられるスタンドの構造の例を示す図である。
【図５】図１に示した電子カメラの主要な内部構造の第二の例を示す図である。
【図６】図５に示した電子カメラについて用いられるスタンドの構造の例を示す図である。
【図７】図１に示した電子カメラの主要な内部構造の第三の例を示す図である。
【符号の説明】
１  ＣＰＵ
２  撮影レンズ
３  撮像素子
４  撮像処理部
５  ＤＲＡＭ
６  画像処理部
７  フラッシュメモリ
８  メモリカード
９ａ、９ｂ  ＵＳＢ  Ｉ／Ｆ
１０ａ、１０ｂ  ＵＳＢ端子
１１  ＳＩＦドライバ
１２ａ、１２ｂ  受発光部
１３  ＬＣＤドライバ
１４  ＬＣＤディスプレイ
１５  セルフＬＥＤ
１６  操作指示部
１７  リモコン受光部
１８  電源部
１９  充電池
２０  ＤＣ入力端子
２１  充電部
２２  ２次コイル
２３  ビデオＩ／Ｆ
２４  ビデオ出力端子
２５  ＡＣ／ＤＣ変換部
２６  ＡＣ電源コード
２７  ＤＣ電源コード
２８  発振部
２９  １次コイル
３１  レリーズボタン
３２  透明部
３３  ストロボ
３４  鏡枠
３５  電池蓋
３６  ヒンジ
３７  三脚ネジ穴
３８  収納室
３９  基板
４０  主基板
４１  フレキシブル基板
４２  基板Ａ
４３  基板Ｂ
１００  電子カメラ
２００  スタンド
【図１】
0003877568.tif 000002
【図２】
0003877568.tif 000003
【図３】
0003877568.tif 000004
【図４】
0003877568.tif 000005
【図５】
0003877568.tif 000006
【図６】
0003877568.tif 000007
【図７】
0003877568.tif 000008